(57)【要約】【課題】本発明の実施形態のディジタルリレーは、伝送処理情報の状態を把握を容易にすることを目的とする。【解決手段】本発明の実施形態におけるディジタルリレーは、電流電圧の実効値の演算またはリレー動作の検出を行う計測/リレー動作検出処理手段と、計測値,検出項目をデータ化する計測/リレー動作検出処理手段と、データをパケットフォーマットに組み込むパケット生成処理手段と、パケットデータを送信する送信処理手段と、ファームウェアの異常を示す基板エラー情報を検出する基板エラー情報検出処理手段と、ＮＩＣでの以上を示すＮＩＣエラー情報を検出するＮＩＣエラー情報検出処理手段とを備える。また、各種処理手段の処理状況と、前記基板エラー情報および前記ＮＩＣエラー情報とを付加した伝送処理情報取得データを作成する伝送処理情報取得データ作成処理手段を備える。【選択図】図１
2015023775.tif 000002
【特許請求の範囲】
【請求項１】
電流電圧の実効値の演算またはリレー動作の検出を行う計測/リレー動作検出処理手段と、
計測値,検出項目をデータ化する計測/リレー動作検出処理手段と、
データをパケットフォーマットに組み込むパケット生成処理手段と、
パケットデータを送信する送信処理手段と、
ファームウェアの異常を示す基板エラー情報を検出する基板エラー情報検出処理手段と、
ＮＩＣでの以上を示すＮＩＣエラー情報を検出するＮＩＣエラー情報検出処理手段と、
計測/リレー動作検出処理手段、計測/リレー動作検出処理手段、パケット生成処理手段、および送信処理手段のいずれかの処理状況と、前記基板エラー情報および前記ＮＩＣエラー情報とを付加した伝送処理情報取得データを作成する伝送処理情報取得データ作成処理手段を備えるディジタルリレー。
【発明の詳細な説明】
【技術分野】
【０００１】
本発明の実施形態は、ディジタルリレーに関する。
【背景技術】
【０００２】
従来のディジタルリレーの伝送手順を第2図に示す。
【０００３】
1はディジタルリレーである。ディジタルリレーは、計測/リレー動作検出処理2において、電流電圧の実効値演算や、遮断器の動作回数などの計測処理、リレー動作の検出処理を実施している。計測値,検出項目は、計測/リレー動作データ作成処理3でデータ化し、パケット生成処理4でパケットフォーマットに組み込まれる。その後、送信処理6においてEthernet（登録商標、以下省略）伝送路10に送信される。送信されたデータは、系統監視、計測表示を行う伝送相手装置11で表示、記録される。
【０００４】
従来の方式では、ディジタルリレーは、伝送相手装置に対してその装置が必要なデータのみを送信しており、ディジタルリレー内部の伝送処理の状態情報や、受信エラー、送信エラー等のエラー情報を送信していない。そのため伝送異常が発生した場合、伝送異常に至るまでの伝送処理情報や、エラー情報が不明であり、更に、復旧のために電源の活殺を行うと、計測/リレー動作検出、パケット生成、送信等の処理間で記憶されている伝送処理で必要な情報のメモリ及びエラー情報のメモリが消去されてしまうことから、復旧後に、異常内容を把握することが困難である。また、異常を特定するためには、復旧後、ソフトウェアに伝送異常の原因を特定するための処理情報やエラー情報を収集し、伝送路に出力する処理を追加して、更に伝送路に流れるパケットを収集するLANアナライザを設置後、パケットを監視する必要があった。この方式では、異常が再度発生し、その時のLANアナライザデータを解析することで原因の特定をするため、異常が発生するまでの間、継続して監視を行う必要があり、調査の長期化や、調査費用が増加するという問題が生じていた。
【先行技術文献】
【特許文献】
【０００５】
【特許文献１】特開２００９−１４１９８８号公報
【発明の概要】
【発明が解決しようとする課題】
【０００６】
本発明の実施形態のディジタルリレーは、伝送処理情報の状態を把握を容易にすることを目的とする。
【課題を解決するための手段】
【０００７】
本発明の実施形態におけるディジタルリレーは、電流電圧の実効値の演算またはリレー動作の検出を行う計測/リレー動作検出処理手段と、計測値,検出項目をデータ化する計測/リレー動作検出処理手段と、データをパケットフォーマットに組み込むパケット生成処理手段と、パケットデータを送信する送信処理手段と、ファームウェアの異常を示す基板エラー情報を検出する基板エラー情報検出処理手段と、ＮＩＣでの以上を示すＮＩＣエラー情報を検出するＮＩＣエラー情報検出処理手段とを備える。また、各種処理手段の処理状況と、前記基板エラー情報および前記ＮＩＣエラー情報とを付加した伝送処理情報取得データを作成する伝送処理情報取得データ作成処理手段を備える。
【図面の簡単な説明】
【０００８】
【図１】第１の実施形態におけるディジタルリレーの構成を示す図。
【図２】従来のディジタルリレーの構成を示す図。
【発明を実施するための形態】
【０００９】
以下、本発明の実施例について図を参照して説明する。
【００１０】
（請求項１）
第1図は、本発明の一実施例を示すディジタルリレー伝送処理情報取得方式である。
【００１１】
ディジタルリレー1は、計測/リレー動作検出処理2において、電流電圧の実効値演算や、遮断器の動作回数などの計測処理、リレー動作の検出処理を実施している。計測値,検出項目は、計測/リレー動作データ作成処理3でデータ化され、パケット生成処理4でパケットフォーマットに組み込まれる。その後、データ受け渡し処理5で伝送基板にデータが受け渡され、送信処理6においてEthernet伝送路10に送信される。
【００１２】
伝送処理情報取得データ作成処理9では、伝送処理情報データに、計測/リレー動作検出処理2,計測/リレー動作データ作成処理3,パケット生成処理4,伝送基板へのデータ受け渡し処理5,送信処理6において各処理状況を把握できるメモリ情報を付加する。
【００１３】
更に、上記のようなアプリケーションの情報以外に、基板エラー情報検出処理7で取得した受信エラー、送信エラー等の基板エラー情報や、NICエラー情報検出処理8で取得したNICのエラー情報等の、ファームウェア,ハードウェアに関する情報も伝送処理情報取得データに付加する。
【００１４】
その伝送処理情報取得データを定期的にEthernet伝送路10に出力し、LANアナライザ12を実装した伝送相手装置 11で常時記録しておく。
【００１５】
この記録されたLANアナライザデータにより、ディジタルリレーの伝送処理状態を確認することが可能になり、更に、伝送異常が発生した時は、伝送異常発生直前の伝送処理状態,エラー状況を確認することで、伝送異常の原因がディジタルリレーにある場合に、どの処理に異常原因があるのか特定することができる。
【００１６】
本発明に係る実施形態によれば、ディジタルリレーが、計測/リレー動作検出処理,計測/リレー動作データ作成処理,パケット生成処理,伝送基板へのデータ受け渡し処理,送信処理を完了するまでの間、伝送処理の状況を把握するためのメモリ情報及びエラー情報を、定期的に伝送回路に出力し、LANアナライザを実装した伝送相手装置で常時に記録しておくことで、伝送状態を把握することができる。更に、伝送異常が発生した際、伝送異常直前のLANアナライザのデータを解析することで、ディジタルリレーに異常原因がある場合、その原因が、アプリケーション、ファームウェア、ハードウェアのどの部分にあたるかを推測することが可能になる。その結果、異常発生後に、ソフトウェアを変更したり、LANアナライザを別途設置したりする必要がなくなり、調査時間の短縮、費用低減が可能である。
【００１７】
以上、本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれると共に、特許請求の範囲に記載された発明とその均等の範囲に含まれる。
【符号の説明】
【００１８】
１…ディジタルリレー
２…計測/リレー動作検出処理
３…計測/リレー動作データ作成処理
４…パケット生成処理
５…伝送基板へのデータ受け渡し処理
６…送信処理
７…基板エラー情報検出処理
８…NICエラー情報検出処理
９…伝送処理情報取得データ作成処理
１０…Ethernet伝送路
１１…伝送相手装置
１２…LANアナライザ
【図１】
2015023775.tif 000003
【図２】
2015023775.tif 000004